(57)【特許請求の範囲】
【請求項１】
上面に端子が設けられて収容箱の底面にそれぞれ配置された複数個の蓄電池と、電気絶縁材料からなり上記収容箱に着脱自在に締結され、上記端子のそれぞれに対応して配置されて上記端子が空隙を形成して嵌合するねじ孔からなる貫通孔が設けられた保持板と、電気絶縁材料によって形成された頭部及び導電材料によって形成され上記ねじ孔に対応したねじ部を有し、上記ねじ孔にねじ込まれて上記貫通孔の相互間に配線される接続電線を蓄電池の端子に接続する接続具と、を備え、上記接続具は、上記ねじ部の下面に凹設され、上記端子に上方から嵌合する凹部を有することを特徴とするエレベーター用非常電源装置。
【請求項２】
保持板に直接的に設けられて貫通孔の相互間に配線され接続具によって蓄電池の端子に接続される接続線を備えたことを特徴とする請求項１記載のエレベーター用非常電源装置。
【請求項３】
蓄電池の充電装置と上記蓄電池との間の電気回路に配置された手動スイッチ、上記蓄電池の充電電流により付勢される電流表示器及び上記蓄電池の充電状況を表示する充電表示器を保持板に備えたことを特徴とする請求項１又は請求項２のいずれか一つに記載のエレベーター用非常電源装置。
【発明の詳細な説明】
【０００１】
【発明の属する技術分野】
この発明は、複数個の蓄電池によって構成されて主として商用電源の停止時に使用されるエレベーター用非常電源装置に関する。
【０００２】
【従来の技術】
図１０は、例えば実開平５−４９７７０号公報に示された従来のエレベーター用非常電源装置の要部を破断してを示す斜視図である。図において、１は非常電源装置の収容箱、２は段差のある収容箱１の底面、３はそれぞれ底面２に配置された複数個の蓄電池、４は蓄電池３の端子、５は蓄電池３を接続する接続電線で、蓄電池３の端子４に接続される端子６が両端に装着されている。
【０００３】
従来のエレベーター用非常電源装置は上記のように構成され、複数の蓄電池３がそれぞれ収容箱１の底面２に載置状態に配置される。そして、蓄電池３の相互が接続電線５によって接続され、商用電源の停止時の異常時制御等の非常電源として使用される。
【０００４】
【発明が解決しようとする課題】
上記のような従来のエレベーター用非常電源装置では、地震等の揺れによって蓄電池３が転倒する恐れがあり、蓄電池３の転倒によって電解液が漏出したり、漏出した電解液によって端子４間が短絡したりする不具合が発生するという問題点があった。
【０００５】
この発明は、かかる問題点を解消するためになされたものであり、地震等の揺れに対して蓄電池が正常状態に保持されるエレベーター用非常電源装置を得ることを目的とする。
【０００６】
【課題を解決するための手段】
この発明に係るエレベーター用非常電源装置においては、上面に端子が設けられて収容箱の底面にそれぞれ配置された複数個の蓄電池と、電気絶縁材料からなり収容箱に着脱自在に締結され、蓄電池の端子のそれぞれに対応して配置されて、その端子が空隙を形成して嵌合するねじ孔からなる貫通孔を有する保持板と、電気絶縁材料によって形成された頭部及び導電材料によって形成されねじ孔に対応したねじ部を有し、ねじ孔にねじ込まれて貫通孔の相互間に配線される接続電線を蓄電池の端子に接続する接続具と、が設けられ、接続具は、ねじ部の下面に凹設され、端子に上方から嵌合する凹部を有する構成とする。
【０００８】
また、この発明に係るエレベーター用非常電源装置においては、保持板に直接的に設けられて貫通孔の相互間に配線され接続具によって蓄電池の端子に接続される接続線が設けられる。
【００１０】
また、この発明に係るエレベーター用非常電源装置においては、蓄電池の充電装置と蓄電池との間の電気回路に配置された手動スイッチ、蓄電池の充電電流により付勢される電流表示器及び蓄電池の充電状況を表示する充電表示器とが保持板に設けられる。
【００１１】
【発明の実施の形態】
実施の形態１．
図１は、この発明の実施の形態の一例を示す斜視図である。図において、１は非常電源装置の収容箱、２は段差のある収容箱１の底面、３はそれぞれ底面２に配置された複数個の蓄電池、４は蓄電池３の上面に設けられた端子、７は保持板で、電気絶縁材料からなり底面２に対応した段差が設けられて、縁部に設けられた取付穴８によって収容箱１に着脱自在に締結され、また蓄電池３の端子４のそれぞれに対応して配置されて、端子４が空隙を形成して嵌合する貫通孔９が設けられている。
【００１２】
上記のように構成されたエレベーター用非常電源装置において、複数の蓄電池３がそれぞれ収容箱１の底面２に載置状態に配置される。そして、図示が省略してあるが蓄電池３の相互が前述の接続電線５によって接続され、商用電源の停止時の異常時制御等の非常電源として使用される。
【００１３】
そして、収容箱１の底面２に載置された蓄電池３の上面に接近した位置に保持板７が設けられて端子４が貫通孔９から突出した状態に配置され、取付穴８を介して収容箱１の側面に着脱自在に締結される。このような構成によって、地震等によってエレベーターが設置された建物が揺れた場合に、蓄電池３の上面が保持板７に抑えられることによって蓄電池３を正常状態に保持することができる。
【００１４】
したがって、蓄電池３の転倒によって電解液が漏出したり、漏出した電解液によって端子４間が短絡したりする事故を防止することができる。
なお、底面２が段差なしに構成された収容箱１の場合であっても図１の実施の形態における作用を得ることができる。
【００１５】
実施の形態２．
図２及び図３は、この発明の他の実施の形態の一例を示す図で、図２は要部縦断面図、図３は図２における締結具を分離した状態を示す図である。なお、図２及び図３の他は前述の図１の実施の形態と同様にエレベーター用非常電源装置が構成されている。図において、図１と同符号は相当部分を示し、１０は貫通孔で、蓄電池３の端子４のそれぞれに対応して配置されて、端子４が空隙を形成して嵌合するねじ孔によって構成されている。
【００１６】
１１はプラグ形状をなす接続具で、電気絶縁材料製の頭部、導電材料製であって貫通孔１０に対応したねじ部及びねじ部の下面に凹設されて蓄電池３の端子４に上方から嵌合する凹部によって構成されている。１２は蓄電池３を接続する接続電線で、接続具１１のねじ部に嵌合する接続孔が設けられた端子１３が両端に装着されている。
【００１７】
上記のように構成されたエレベーター用非常電源装置においても、収容箱１の底面２に載置された蓄電池３の上面に接近した位置に保持板７が設けられる。したがって、詳細な説明を省略するが図２及び図３の実施の形態においても図１の実施の形態と同様な作用が得られる。
【００１８】
また、電気絶縁材料製の頭部を有する接続具１１によって接続電線１２が蓄電池３の端子４に接続される。このため、接続電線１２の接続作業時に工具（図示しない）が接続具１１の頭部に接触しても短絡事故が発生することがなく接続作業を容易化することができる。また、端子４の上端位置が保持板７の上面対応位置に配置されるので、接続具１１が保持板７の貫通孔１０にねじ込まれていない端子４に、接続電線１２の接続作業用の工具（図示しない）が接触し難く作業時の短絡事故を防ぐことができる。
【００１９】
実施の形態３．
図４も、この発明の他の実施の形態の一例を示す図で、保持板の斜視図である。なお、図４の他は前述の図２及び図３の実施の形態と同様にエレベーター用非常電源装置が構成されている。図において、図１と同符号は相当部分を示し、１４は保持板７の表面に直接的に配線された接続線で、導電材料からなり貫通孔１０の相互間に配置されている。
【００２０】
上記のように構成されたエレベーター用非常電源装置においても、図示が省略してあるが収容箱１の底面２に載置された蓄電池３の上面に接近した位置に保持板７が設けられる。また、接続具１１によって接続線１４を介して蓄電池３の端子４相互が接続される。したがって、詳細な説明を省略するが図４の実施の形態においても図２及び図３の実施の形態と同様な作用が得られる。
【００２１】
また、保持板７に接続線１４が直接的に設けられているので、接続具１１を貫通孔１０にねじ込むことによって蓄電池３の接続が終了する。このため、蓄電池３相互の接続作業の手数を省くことができて、費用を低減することができる。
【００２２】
実施の形態４．
図５も、この発明の他の実施の形態の一例を示す図で、前述の図２相当図である。なお、図５の他は前述の図２及び図３の実施の形態と同様にエレベーター用非常電源装置が構成されている。図において、図２と同符号は相当部分を示し、１５は保持板７に埋め込まれた接続線で、導電材料からなり貫通孔１０の相互間に配置されている。
【００２３】
上記のように構成されたエレベーター用非常電源装置においても、図示が省略してあるが収容箱１の底面２に載置された蓄電池３の上面に接近した位置に保持板７が設けられる。また、接続具１１によって接続線１５を介して蓄電池３の端子４相互が接続される。したがって、詳細な説明を省略するが図５の実施の形態においても図２及び図３の実施の形態と同様な作用が得られる。
【００２４】
また、保持板７に接続線１４が埋め込まれて直接的に設けられているので、接続具１１を貫通孔１０にねじ込むことによって蓄電池３の接続が終了する。これにより、蓄電池３相互の接続作業の手数を省くことができて、費用を低減することができる。また、接続作業時に工具を保持板７の上面に接触したときであっても短絡事故が発生することがなく接続作業を容易化することができる。
【００２５】
実施の形態５．
図６及び図７も、この発明の他の実施の形態の一例を示す図で、図６は要部縦断面図、図７は図６のエレベーター用非常電源装置の保持板を分離した状態を示す斜視図である。図において、前述の図１と同符号は相当部分を示し、１６は装着具で、収容箱１の底面２から立設されて保持板７に空隙を形成して挿通されたねじ棒１７及びねじ棒１７の挿通端にねじ込まれたナット１８によって構成されている。１９は保持板７に埋め込まれた接続電線で、貫通孔９の相互間に配置されて貫通孔９の内面から突出して設けられている。
【００２６】
上記のように構成されたエレベーター用非常電源装置においても、収容箱１の底面２に載置された蓄電池３の上面に接近した位置に保持板７が設けられる。したがって、詳細な説明を省略するが図６及び図７の実施の形態においても図１の実施の形態と同様な作用が得られる。また、ねじ棒１７が保持板７に挿通されて、ねじ棒１７にナット１８がねじ込まれる。これにより、保持板７が上方から蓄電池３方向に押圧されて装着される。
【００２７】
これによって、保持板７に埋め込まれた接続電線１９の貫通孔９の内面からの突出端が、保持板７の貫通孔９に嵌合した蓄電池３の端子４に接続する。このため、保持板７を装着具１６を介して収容箱１の底面２に装着することにより、蓄電池３相互の接続作業が終了する。したがって、接続作業時の短絡事故の発生を防止でき、また収容箱１内の狭隘な場所での作業が不要になり、蓄電池３の設置作業、更新作業の能率を向上することができる。
【００２８】
実施の形態６．
図８及び図９も、この発明の他の実施の形態の一例を示す図で、図８は前述の図４相当図、図９は図８のエレベーター用非常電源装置の電気回路を概念的に示す図である。なお、図８及び図９の他は前述の図２及び図３の実施の形態と同様にエレベーター用非常電源装置が構成されている。図において、図１と同符号は相当部分を示し、２０は手動スイッチ、２１は充電装置、２２は電流検出回路で、蓄電池３の充電電流を検出する。
【００２９】
２３は電圧検出回路で、蓄電池３の電圧を検出する。２４は電磁接触器で、休止状態において開放されている。２５はエレベーターの制御装置、２６は電流検出回路２２に接続されて充電電流により付勢される光源体からなる電流表示器、２７は電圧検出回路２３に接続されて蓄電池３の電圧、すなわち充電状況を表示する充電表示器である。
【００３０】
上記のように構成されたエレベーター用非常電源装置においても、図示が省略してあるが収容箱１の底面２に載置された蓄電池３の上面に接近した位置に保持板７が設けられる。また、接続具１１によって接続線１４を介して蓄電池３の端子４相互が接続される。したがって、詳細な説明を省略するが図８及び図９の実施の形態においても図２及び図３の実施の形態と同様な作用が得られる。
【００３１】
また、図８及び図９の実施の形態において手動スイッチ２０が閉成されて蓄電池３が充電される。そして、商用電源の停止時等の異常時には電磁接触器２４が動作して閉成し、蓄電池３が制御装置２５に接続されて、蓄電池３の電力を非常電源としてエレベーターが異常時制御される。
【００３２】
また、蓄電池３の充電時に電流表示器２６が点灯するので充電動作を容易に確認することができる。さらに、充電表示器２７の出力によって蓄電池３の充電状況を検定することができる。また、保持板７に手動スイッチ２０、電流表示器２６、充電表示器２７が設けられるので、手動接点２０等に係わる配線が少なくなって製作、据付を容易化することができ、また蓄電池３の充電、充電の検定作業を容易に行うことができて手数を省くことができる。
【００３３】
【発明の効果】
この発明は以上説明したように、上面に端子が設けられて収容箱の底面にそれぞれ配置された複数個の蓄電池と、電気絶縁材料からなり収容箱に着脱自在に締結され、蓄電池の端子のそれぞれに対応して配置されて、その端子が空隙を形成して嵌合するねじ孔からなる貫通孔を有する保持板と、電気絶縁材料によって形成された頭部及び導電材料によって形成されねじ孔に対応したねじ部を有し、ねじ孔にねじ込まれて貫通孔の相互間に配線される接続電線を蓄電池の端子に接続する接続具と、を設け、接続具は、ねじ部の下面に凹設され、端子に上方から嵌合する凹部を有する構成としたものである。
【００３４】
これによって、地震等によってエレベーターが設置された建物が揺れた場合に、蓄電池の上面が保持板に抑えられて蓄電池を正常状態に保持することができる。したがって、蓄電池の転倒によって電解液が漏出したり、漏出した電解液によって端子間が短絡したりする事故の発生を未然に防止する効果がある。
【００３６】
また、このような構成によって、電気絶縁材料製の頭部を有する接続具によって接続電線が蓄電池の端子に接続される。このため、接続電線の接続作業時に工具が接続具の頭部に接触しても短絡事故が発生することがなく接続作業を容易化する効果がある。
【００３７】
また、この発明は以上説明したように、保持板に直接的に設けられて貫通孔の相互間に配線され接続具によって蓄電池の端子に接続される接続線を設けたものである。
【００３８】
このような構成によって、保持板に接続線が直接的に設けられ接続具を貫通孔にねじ込むことによって蓄電池の接続が終了する。このため、蓄電池相互の接続作業の手数を省くことができて、費用を低減する効果がある。
【００４１】
また、この発明は以上説明したように、蓄電池の充電装置と蓄電池との間の電気回路に配置された手動スイッチ、蓄電池の充電電流により付勢される電流表示器及び蓄電池の充電状況を表示する充電表示器を保持板に設けたものである。
【００４２】
このような構成によって、手動スイッチが閉成されると蓄電池が充電され電流表示器が点灯するので充電動作を確認することができる。また、充電表示器の出力によって蓄電池の充電状況を検定することができる。そして、保持板に手動スイッチ、電流表示器、充電表示器が設けられるので、手動接点等に係わる配線が少なくなって製作、据付を容易化する効果がある。また蓄電池の充電、充電の検定作業を容易に行うことができて保守作業を省力化する効果がある。
【図面の簡単な説明】
【図１】  この発明の実施の形態１を示す斜視図。
【図２】  この発明の実施の形態２を示す要部縦断面図。
【図３】  図２における締結具を分離した状態を示す図。
【図４】  この発明の実施の形態３を示す保持板の斜視図。
【図５】  この発明の実施の形態４を示す前述の図２相当図。
【図６】  この発明の実施の形態５を示す要部縦断面図。
【図７】  図６における保持板を分離した状態を示す斜視図。
【図８】  この発明の実施の形態６を示す前述の図４相当図。
【図９】  図８のエレベーター用非常電源装置の概念的電気回路図。
【図１０】  従来のエレベーター用非常電源装置の要部を破断してを示す斜視図。
【符号の説明】
１  収容箱、２  底面、３  蓄電池、４  端子、７  保持板、９  貫通孔、１０  貫通孔、１１  接続具、１２  接続電線、１４  接続線、１５  接続線、１６  装着具、１７  ねじ棒、１８  ナット、１９  接続電線、２０  手動スイッチ、２１  充電装置、２６  電流表示器、２７  充電表示器。
【図１】
0004498546.tif 000002
【図２】
0004498546.tif 000003
【図３】
0004498546.tif 000004
【図４】
0004498546.tif 000005
【図５】
0004498546.tif 000006
【図６】
0004498546.tif 000007
【図７】
0004498546.tif 000008
【図８】
0004498546.tif 000009
【図９】
0004498546.tif 000010
【図１０】
0004498546.tif 000011